【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
液状の光硬化性プラスチック材料（６）を照明することによって３次元物体（１０）を製造するための、光源（１）を有するアセンブリ（０）を備える装置であって、
前記液状の光硬化性プラスチック材料（６）のバス（７）を収容するための容器（８）を有し、前記バス（７）の表面（２１ａ、２１ｂ）に相対的に前記３次元物体（１０）を位置決めするための構築プラットフォーム（１２）を有する装置であって、
前記容器（８）は前記容器（８）に割り当てられ、前記液状の光硬化性プラスチック材料（６）を供給するための供給装置（１５）を有し、更に、少なくとも１つの収集容器（１６）が前記容器（８）に割り当てられ、その中に前記液状の光硬化性プラスチック材料（６）が、前記容器の軸に沿って駆動可能なストリッピング装置（２０）を用いて移送可能であることを特徴とする、装置。
【請求項２】
前記アセンブリ（０）は、光強度の均一な分布を生成するために役立ち、空間的に照射する光源（１）と空間光変調器（４）と光学系とを備えるアレンジメント（３）を備え、前記光学系（２）はレンズシステムであることを特徴とする、請求項１に記載の装置。
【請求項３】
前記供給装置（１５）は、前記バス（７）の前記表面（２１）より下のレベルにおいて前記容器に割り当てられることを特徴とする、請求項１に記載の装置。
【請求項４】
前記液状の光硬化性プラスチック材料（６）であって、アーチ形の表面（２１ａ）の突き出たプラスチック材料は、前記容器の軸に沿って駆動可能なストリッピング装置（２０）を用いて、前記少なくとも１つの収集容器（１６）内に移送可能であり、表面（２１ｂ）が投影面として形成されることを特徴とする、請求項１又は請求項３に記載の装置。
【請求項５】
前記液状の光硬化性プラスチック材料（６）が前記収集容器（１６）から前記供給装置（１５）を介して前記バス（７）まで、吸引管（１７ａ）を用い、フィルタ（１８）を通し、ポンプ（１９）を用いて再び供給されることを特徴とする、請求項１〜請求項４のいずれか一項に記載の装置。
【請求項６】
全体アセンブリ（０＃）が、前記容器の軸に沿って駆動可能なストリッピング装置（２０）と、アセンブリ（０）とを備え、前記ストリッピング装置（２０）は、前記アセンブリ（０）の、前記光源（１）の前に及び／又は被照明フィールド（５）の前に位置することを特徴とする、請求項１〜請求項５のいずれか一項に記載の装置。
【請求項７】
３次元物体（１０）を製造するための方法であって、前記３次元物体は、１つの層（ｘ１、ｙ１）がそれぞれ液状の光硬化性プラスチック材料（６）の投影面として製造され、光源（１）の光によって少なくとも部分的に被照明フィールド（５）内で重合されることによって、層ごとに生成され、
前記方法は、
ａ）前記液状の光硬化性プラスチック材料（６）のバス（７）内で適切に調節された量のプラスチック材料によって、前記液状の光硬化性プラスチック材料（６）の層（ｘ、ｙ）が構築プラットフォーム（１２）上で又は重合された層上で生成され、それにより、前記プラスチック材料の表面張力により容器（８）の壁（８ａ）の上縁において前記プラスチック材料が垂直に突き出て、突き出たプラスチック材料のアーチ形の表面（２１ａ）が形成され、前記プラスチック材料は、前記容器（８）の側面上に配置された少なくとも１つの収集容器（１６）に流入し、
ｂ）前記アーチ形の表面（２１ａ）の前記突き出た液状の光硬化性プラスチック材料（６）は、前記容器の軸に沿って駆動可能なストリッピング装置（２０）によって除去され、投影面（２１ｂ）としての重合される層（ｘ１、ｙ１）が取得され、
ｃ）前記液状の光硬化性プラスチック材料（６）の投影面としてのｂ）において生成された前記重合される層（ｘ１、ｙ１）は、光源（１）の光による被照明フィールドによって重合され、
ｄ）前記構築プラットフォーム（１２）が１層の厚さ（ｘ１、ｙ１）だけ下げられ、
ｅ）ステップａ）〜ステップｄ）が少なくとも１回〜複数回繰り返される、
ことを特徴とする方法。
【請求項８】
ステップｂ）及びステップｃ）は同時に行われることを特徴とする、請求項７に記載の方法。
【請求項９】
駆動可能なストリッピング装置（２０）と前記光源（１）、アセンブリ（０）の光源とが、結合及び分離されることが可能な、駆動可能な全体アセンブリ（０＃）を形成することを特徴とする、請求項７又は請求項８に記載の方法。
【請求項１０】
前記全体アセンブリ（０＃）は、駆動可能なストリッピング装置（２０）と、アセンブリ（０）とを備え、前記アセンブリ（０）は、空間的に照射する光源（１）と空間光変調器（４）と光学系（２）とを備えるアレンジメント（３）を備え、前記光学系（２）はレンズシステムであることを特徴とする、請求項９に記載の方法。
【請求項１１】
前記液状の光硬化性プラスチック材料（６）は前記収集容器（１６）から前記バス（７）まで再び供給されることを特徴とする、請求項９又は請求項１０に記載の方法。
【請求項１２】
ステップａ）は、
ｉ）ステップｄ）を実行した後で、あるいは
ｉｉ）ステップｃ）及び好ましくはステップｄ）を実行した後で、あるいは
ｉｉｉ）前記駆動可能なストリッピング装置（２０）、前記光源（１）、又は前記全体アセンブリ（０＃）が前記被照明フィールドの全体にわたって案内され、前記被照明フィールドの外部に位置した後で、あるいは
ｉｖ）前記駆動可能なストリッピング装置（２０）、前記光源（１）、又は前記全体アセンブリ（０＃）が前記容器（８）の前端又は後端に、特に反転点の領域内に位置するようになった後で、
実行されることを特徴とする、請求項９〜請求項１１のいずれか一項に記載の方法。
【請求項１３】
前記全体アセンブリ（０＃）又は前記アセンブリ（０）は、光強度の分布を均一化するために、行及び列内に配置された多数の制御可能かつ傾斜可能なマイクロミラーを備える空間光変調器（４）を備え、空間的に照射する光源（１）の光は光学系（２）を用いて投影され、投影される光源（１）の被照明フィールドは投影面全体にわたって案内され、前記投影面の上で照明される全てのピクセルの光強度の均一化が時間積分において達成されるように、前記被照明フィールドの中央に向かうにつれて、照明されないピクセルの数が増加することを特徴とする、請求項９〜請求項１２のいずれか一項に記載の方法。
【請求項１４】
前記全体アセンブリ（０＃）又は前記アセンブリ（０）及び従って前記被照明フィールドと前記ストリッピング装置（２０）とが、前記投影面の全体にわたって同時に周期的に案内され、液状の光硬化性プラスチック材料（６）の表面（２１ｂ）が投影面として使用されることを特徴とする、請求項９〜請求項１３のいずれか一項に記載の方法。
【請求項１５】
液状の光硬化性プラスチック材料（６）が請求項７〜請求項１４のいずれか一項に記載の方法を用いて照明され、ＵＶ光を用いて照明される、ラピッドプロトタイピング方法であって、
前記プラスチック材料（１０）の重合される前記層（ｘ１、ｙ１）を、前記被照明フィールドが投影され、かつ前記被照明フィールド内の照明により前記プラスチック材料（１０）が重合される投影面（２１ｂ）として形成するために、前記ストリッピング装置（２０）は、前記被照明フィールド（５）と同時にかつ一緒に、前記被照明フィールドの前方で、前記容器の軸に沿って案内される、ラピッドプロトタイピング方法。
【請求項１６】
歯科補綴修復物の少なくとも部分を製造するための、請求項１〜請求項６のいずれか一項に記載の装置の使用。